(57)【要約】【課題】装置の復旧後に設定値を容易に初期化前の値に戻すことが可能な情報記録再生装置の提供を目的とする。【解決手段】本発明の情報記録再生装置は、情報を記録し再生する情報記録再生装置であって、前記情報記録再生装置もしくは前記情報記録再生装置が組み込まれたシステムの運用に用いる設定値を記憶する設定値記憶手段７と、前記情報記録再生装置内外からの初期化要求に応じて前記設定値を前記設定値記憶手段から前記情報記録再生装置外部に出力し、その後前記設定値記憶手段の前記設定値を初期化する設定値初期化手段５とを備える。【選択図】図１
2012164173.tif 000002
【特許請求の範囲】
【請求項１】
情報を記録し再生する情報記録再生装置であって、
前記情報記録再生装置もしくは前記情報記録再生装置が組み込まれたシステムの運用に用いる設定値を記憶する設定値記憶手段と、
前記情報記録再生装置内外からの初期化要求に応じて前記設定値を前記設定値記憶手段から前記情報記録再生装置外部に出力し、その後前記設定値記憶手段の前記設定値を初期化する設定値初期化手段と
を備える、情報記録再生装置。
【請求項２】
前記設定値初期化手段は、前記設定値をＵＳＢメモリー又はＬＡＮに出力する、
請求項１に記載の情報記録再生装置。
【請求項３】
前記設定値初期化手段は、前記設定値のデータ形式を変換してデータサイズを縮小したうえで、前記設定値を前記情報記録再生装置外部に出力する、請求項１又は２に記載の情報記録再生装置。
【請求項４】
情報を記録し再生する情報記録再生装置であって、
前記情報記録再生装置もしくは前記情報記録再生装置が組み込まれたシステムの運用に用いる設定値を記憶する設定値記憶手段と、
前記情報記録再生装置内外からの初期化要求に応じて前記設定値を初期化する設定値初期化手段と、
前記設定値を表示する表示手段とを備え、
前記設定値初期化手段は、前記設定値を前記表示手段に出力した後に、前記設定値の初期化を行う、
情報記録再生装置。
【発明の詳細な説明】
【技術分野】
【０００１】
本発明は情報記録再生装置に関し、特に機器保守時の設定値保持機能に関する。
【背景技術】
【０００２】
映像や画像などの情報を記録及び再生する情報記録再生装置では、不揮発性メモリーに格納されたプログラムや設定値に基づいて、ＣＰＵが情報の記録及び再生を運用している。この設定値は装置や装置を構成するシステムの動作に必要なものであり、例えば特許文献１では、アーキテクチャの異なる機器間への設定値配布処理を容易化することを目的とし、設定値作成用プログラムを機器に持たせることにより、設定値ファイルを通信回線などの媒体を介して、異なる複数の機器に搬送する際の操作の容易性を向上させる技術が示されている。
【先行技術文献】
【特許文献】
【０００３】
【特許文献１】特開平６−３３２８１６号公報
【発明の概要】
【発明が解決しようとする課題】
【０００４】
特許文献１に示される技術は、異なる機器間での設定値共有に関しての操作性向上である。例えば現行の監視用デジタルレコーダーは、機器の設定値を初期化する機能を具備しているが、初期化直前の設定値を出力して確認する手段を有していないため、状況によっては設定値の初期化が出来ず、トラブル復旧や機器保守の阻害要因となる場合があった。
【０００５】
本発明は上述の問題点に鑑み、装置の復旧後に設定値を容易に初期化前の値に戻すことが可能な情報記録再生装置の提供を目的とする。
【課題を解決するための手段】
【０００６】
本発明の情報記録再生装置は、情報を記録し再生する情報記録再生装置であって、前記情報記録再生装置もしくは前記情報記録再生装置が組み込まれたシステムの運用に用いる設定値を記憶する設定値記憶手段と、前記情報記録再生装置内外からの初期化要求に応じて前記設定値を前記設定値記憶手段から前記情報記録再生装置外部に出力し、その後前記設定値記憶手段の前記設定値を初期化する設定値初期化手段とを備える。
【０００７】
また、本発明の別の情報記録再生装置は、情報を記録し再生する情報記録再生装置であって、前記情報記録再生装置もしくは前記情報記録再生装置が組み込まれたシステムの運用に用いる設定値を記憶する設定値記憶手段と、前記情報記録再生装置内外からの初期化要求に応じて前記設定値を初期化する設定値初期化手段と、前記設定値を表示する表示手段とを備え、前記設定値初期化手段は、前記設定値を前記表示手段に出力した後に、前記設定値の初期化を行う。
【発明の効果】
【０００８】
本発明の情報記録再生装置は、前記情報記録再生装置内外からの初期化要求に応じて前記設定値を前記設定値記憶手段から前記情報記録再生装置外部に出力し、その後前記設定値記憶手段の前記設定値を初期化する設定値初期化手段とを備えるので、装置又はシステムの復旧後に、出力先の設定値の値を参照して設定値を初期化前の値に戻すことが可能である。
【０００９】
また、本発明の別の情報記録再生装置は、情報記録再生装置内外からの初期化要求に応じて前記設定値を初期化する設定値初期化手段と、前記設定値を表示する表示手段とを備え、前記設定値初期化手段は、前記設定値を前記表示手段に出力した後に、前記設定値の初期化を行うので、ユーザーは表示手段に表示された設定値を参照して、装置又はシステムの復旧後に、設定値を初期化前の値に戻すことが可能である。
【図面の簡単な説明】
【００１０】
【図１】実施の形態１の情報記録再生装置の構成を示すブロック図である。
【図２】実施の形態１の情報記録再生装置の動作を示すフローチャートである。
【図３】実施の形態１の情報記録再生装置の変形例の動作を示すフローチャートである。
【図４】実施の形態１の情報記録再生装置の変形例の動作を示すフローチャートである。
【発明を実施するための形態】
【００１１】
（実施の形態１）
図１は、実施の形態１の情報記録再生装置の構成を示すブロック図である。映像を記録及び再生する場合を例にして説明すると、本実施の形態の情報記録再生装置において、ビデオデコーダ１が入力映像信号をデジタル映像信号に変換する。デジタル映像信号はマルチプレクサ２において所望の画素サイズに変更された後、さらに圧縮／伸張器４で圧縮される。
【００１２】
圧縮／伸張器４で圧縮されたデジタル映像信号は、圧縮映像情報としてメモリー１１に一時的に記憶される。メモリー１１に記憶された圧縮映像情報は、記録媒体インターフェース８を通じてＨＤＤ９に記憶される。
【００１３】
ＨＤＤ９に記憶した圧縮映像情報を再生する場合は、ＨＤＤ９に記憶した圧縮映像情報を、記録媒体インターフェース８を通してメモリー１１に一時的に記憶した後、圧縮／伸張器４にてオリジナルのデータサイズのデジタル映像信号に伸張する。その後、ビデオエンコーダ３にてデジタル映像信号を元の映像信号に復元し、例えば装置外部に出力する。
【００１４】
情報記録再生装置における映像信号の記録及び再生動作は、設定値記憶手段としての不揮発性メモリー７に格納されたプログラムと設定値に従い、ＣＰＵ５により制御されている。
【００１５】
さらに情報記録再生装置は、装置の保守時に設定値を初期化するユーザーインターフェースとしての初期化ボタン１０を有する。初期化ボタン１０はＣＰＵ５に接続されている。また情報記録再生装置は外部インターフェース６によりＵＳＢメモリーと接続し、通信インターフェース１２によりＬＡＮと接続することが可能である。また、ＣＰＵ５の制御による表示機能として、ＬＣＤインターフェース１３を介してＬＣＤ１４に文字などを表示することが可能である。
【００１６】
次に、情報記録再生装置の保守時の動作について図２を用いて説明する。装置にトラブルが発生した場合、保守員が早急な復旧を行う目的で設定値を初期化する場合がある。通信接続不能など、外部とのインターフェース設定に異常が生じた可能性がある場合がこれにあたる。この時、状況によっては現状の設定値を確認しておく必要があるが、従来は復旧作業優先のため確認せずに初期化を実行することが多かった。
【００１７】
本実施の形態の情報記録再生装置では、図２において、まず初期化ボタン１０が押されると（ステップＳ１でＹｅｓ）、現在の設定値を不揮発性メモリー７から出力する（ステップＳ２）。すなわち、ＵＳＢメモリーが外部インターフェース６に接続されていれば、データ型式を維持した状態で現在の設定値を不揮発性メモリー７からＵＳＢメモリーへ出力する。その後、不揮発性メモリー７において設定値の初期化を行う（ステップＳ３）。以上の動作は設定値初期化手段として動作するＣＰＵ５の制御により行われる。
【００１８】
このように、本実施の形態によれば初期化を行うにあたり事前に現在の設定値をＵＳＢメモリーに出力するため、ＵＳＢメモリー内のデータを見ることで初期化前の設定値を確認でき、トラブル復旧後に装置側へ再び設定値を戻すことが可能である。
【００１９】
また、パーソナルコンピュータなどの外部機器が通信インターフェース１２に接続されていた場合、ＣＰＵ５は不揮発性メモリー７から現在の設定値をそのままのデータ形式で外部機器に出力する。このため同様に、ＬＡＮに接続されたパーソナルコンピュータ内のデータを見ることで、初期化前の設定値を確認でき、パーソナルコンピュータ側のアプリケーションソフトによってトラブル復旧後に装置側へ再び設定値を戻すことが可能である。
【００２０】
ＵＳＢメモリーとＬＡＮを介した外部機器の両方が本装置に接続されている場合、いずれに設定値を出力するかはユーザーが任意に選択可能である。
【００２１】
＜変形例＞
データ形式を維持した状態で設定値を出力すると説明したが、ＣＰＵ５は設定値のデータサイズが縮小するようにデータ形式を変換したうえで出力しても良い（図３のステップＳ１２）。図３はデータ形式を変換して出力する場合のフローチャートを示しているが、ステップＳ１２以外は図２と同様であるため説明を省略する。
【００２２】
また、設定値をＵＳＢメモリーや外部機器へ出力する代わりに、ＬＣＤ１４などの機器本体に備わる表示機能へ出力しても良い。
【００２３】
すなわち、図４に沿って、初期化ボタン１０が押されると（ステップＳ２１でＹｅｓ）、現在の設定値をＧＵＩにより設定値を表示手段としてのＬＣＤ１４に画面出力する。その他、表示可能な文字データに変換して表示しても良い（ステップＳ２２）。その後、不揮発性メモリー７において設定値の初期化を行う（ステップＳ２３）。これにより、初期化を行ったのち、ＬＣＤ１４などの画面に表示されている設定値をみながら、トラブル復旧後に手動で、設定値を初期化前の値に戻すことが可能である。
【００２４】
なお、本発明の情報記録再生装置において、初期化ボタン１０は物理的なボタンでなくても良く、ＧＵＩからの操作や外部機器からのコマンドによって動作してもよい。また、ＵＳＢメモリーや外部機器へ出力する設定値は、本装置の運用に必要なものの全部もしくは一部のいずれであってもよい。
【００２５】
＜効果＞
本実施の形態に係る情報記録再生装置は、情報を記録し再生する情報記録再生装置であって、情報記録再生装置もしくは情報記録再生装置が組み込まれたシステムの運用に用いる設定値を記憶する設定値記憶手段（不揮発性メモリー７）と、情報記録再生装置内外からの初期化要求に応じて前記設定値を不揮発性メモリー７から情報記録再生装置外部に出力し、その後不揮発性メモリー７の前記設定値を初期化する設定値初期化手段（ＣＰＵ５）とを備えるので、装置又はシステムの復旧後、容易に設定値を初期化前の値に戻すことが可能である。
【００２６】
また、本実施の形態に係る情報記録再生装置において、ＣＰＵ５は、設定値をＵＳＢメモリー又はＬＡＮに出力するので、装置又はシステムの復旧後、ＵＳＢメモリー又はＬＡＮ経由の出力先の機器に出力した設定値を参照することによって、容易に設定値を初期化前の値に戻すことが可能である。
【００２７】
また、本実施の形態に係る情報記録再生装置において、ＣＰＵ５は、設定値のデータ形式を変換してデータサイズを縮小したうえで、前記設定値を情報記録再生装置外部に出力するので、情報記録再生装置外部への設定値の出力が容易である。
【００２８】
また、本実施の形態に係る別の情報記録再生装置は、情報を記録し再生する情報記録再生装置であって、情報記録再生装置もしくは情報記録再生装置が組み込まれたシステムの運用に用いる設定値を記憶する設定値記憶手段（不揮発性メモリー７）と、情報記録再生装置内外からの初期化要求に応じて前記設定値を初期化する設定値初期化手段（ＣＰＵ５）と、前記設定値を表示する表示手段（ＬＣＤ１４等）とを備え、ＣＰＵ５は、前記設定値を前記表示手段に出力した後に、前記設定値の初期化を行うので、ユーザーは装置又はシステムの復旧後、表示手段に表示された設定値を参照し、設定値を初期化前の値に手動で戻すことが出来る。
【符号の説明】
【００２９】
１  ビデオデコーダ、２  マルチプレクサ、３  ビデオエンコーダ、４  圧縮／伸張器、５  ＣＰＵ、６  外部インターフェース、７  不揮発性メモリー、８  記録媒体インターフェース、９  ＨＤＤ、１０  初期化ボタン、１１  メモリー、１２  通信インターフェース、１３  ＬＣＤインターフェース、１４  ＬＣＤ。
【図１】
2012164173.tif 000003
【図２】
2012164173.tif 000004
【図３】
2012164173.tif 000005
【図４】
2012164173.tif 000006